【手続補正書】
【提出日】平成15年10月2日(2003.10.2)
【手続補正１】
【補正対象書類名】明細書
【補正対象項目名】発明の名称
【補正方法】変更
【補正の内容】
【発明の名称】回路とパケット・データ送信統合用の通信チャンネル同期マイクロセル・システムとその方法
【手続補正２】
【補正対象書類名】明細書
【補正対象項目名】特許請求の範囲
【補正方法】変更
【補正の内容】
【特許請求の範囲】
【請求項１】
顧客設備とネットワーク・スイッチを相互接続する単一の伝送媒体上で回線データ送信及びパケット・データの送信を統合するための通信チャンネル同期マイクロセル・システムの動作方法において、
ａ）前記単一の伝送媒体を介して前記顧客設備と前記ネットワーク・スイッチとの間で送信を行うために、各々が所定数Ｋのマイクロセルからなる一連のフレームを発生するステップと、
ｂ）前記顧客設備におけるｎ個の回線データ送信の発生に応答して、前記マイクロセルのうちの選択されたｎ個を予約するステップであって、前記マイクロセルのうちの選択されたｎ個の各々は、前記ｎ個の回線データ送信のうちの対応する１つを前記顧客設備から前記ネットワーク・スイッチへ送信するためのものであるステップとからなる通信チャンネル同期マイクロセル・システムの動作方法。
【請求項２】
前記顧客設備におけるｎ個の回線データ送信の発生に応答して、前記パケット・データ送信のために最大Ｋ−ｎ個までの前記マイクロセルを選択するためのステップをさらに含む請求項１記載の方法。
【請求項３】
前記単一の伝送媒体上で前記マイクロセルの使用を介して前記顧客設備と前記ネットワークとの間で信号制御データを交換するステップ
をさらに含む請求項２記載の方法。
【請求項４】
前記Ｋ個のマイクロセルのうちの関連する１つの内容を示すために前記Ｋ個のマイクロセルの各々の中の前記回線データ送信及び前記パケット・データ送信に対してヘッダーをプリペンドするステップ
をさらに含む請求項２記載の方法。
【請求項５】
ａ）前記データ送信のフレームの受信に応答して、前記フレーム内の前記Ｋ個のマイクロセルのそれぞれからヘッダーを読み出すステップと、
ｂ）前記読み出されたヘッダーに応答して、前記フレーム内の前記Ｋ個のマイクロセルのそれぞれの内容を、前記読み出されたヘッダーに基づいて回線スイッチとパケット・スイッチのいずれかひとつにルーティングするステップ
とをさらに含む請求項４記載の方法。
【請求項６】
顧客設備と通信切り換えネットワーク・スイッチを相互接続するデータ伝送媒体上で回線データ送信及びパケット・データ送信を統合するための通信チャンネル同期マイクロセル・システムにおいて、
ａ）前記データ伝送媒体を介して前記顧客設備と前記通信切り換えネットワーク・スイッチとの間で送信を行うために、各々が所定数Ｋのマイクロセルからなる一連のデータ送信フレームをつくりだすためのフレーム発生手段と、
ｂ）前記顧客設備内でのｎ個の回線データ送信の発生に応答して、前記マイクロセルのうちの選択されたｎ個を予約するためのマイクロセル予約手段において、
前記ｎ個の回線データ送信のそれぞれに対して前記フレーム内のマイクロセル位置を選択するためのマイクロセル選択手段と、
前記データ送信内の各フレームについて、前記ｎ個の回線データ送信のそれぞれの一部を前記マイクロセルの前記選択されたｎ個のうちの対応する１つに挿入するための手段とからなるマイクロセル予約手段
とからなる通信チャンネル同期マイクロセル・システム。
【請求項７】
前記マイクロセル予約手段がさらに
ａ）前記ｎ個の回線データ送信の少なくとも１つについてのデータ送信速度を判定する測定手段と、
ｂ）前記判定されたデータ送信速度が前記関連する選択されたマイクロセルのデータ送信速度以下の場合に、前記データ送信において前記ｎ個の回線データ送信を、全フレームより少ないフレームについて前記マイクロセルの前記選択されたｎ個のうちの前記対応する１つに挿入するためのサブレート送信手段
とをさらに含んでいる請求項６記載の通信チャンネル同期マイクロセル・システム。
【請求項８】
前記顧客設備におけるｎ個の回線データ送信の発生に応答して、前記パケット・データを送信するために最大Ｋ−ｎ個の前記マイクロセルを選択するためのパケット・データ・マイクロセル選択手段
をさらに含む請求項６記載の通信チャンネル同期マイクロセル・システム。
【請求項９】
前記Ｋ個のマイクロセルのうちの関連する１つの内容を示すために前記Ｋ個のマイクロセルの各々の中の前記回線データ送信及び前記パケット・データ送信に対してヘッダーをプリペンドするためのヘッダー生成手段
をさらに含んでいる請求項８記載の通信チャンネル同期マイクロセル・システム。
【請求項１０】
ａ）前記データ送信のフレームの受信に応答して、前記フレーム内の前記Ｋ個のマイクロセルのそれぞれからヘッダーを読み出すヘッダー復号化手段と、
ｂ）前記読み出されたヘッダーに応答して、前記フレーム内の前記Ｋ個のマイクロセルのそれぞれの内容を、前記読み出されたヘッダーに基づいて回線スイッチかパケット・スイッチのいずれかにルーティングするためのマイクロセル・ルーティング手段
をさらに含む請求項９記載の通信チャンネル同期マイクロセル・システム。
【手続補正３】
【補正対象書類名】明細書
【補正対象項目名】０００１
【補正方法】変更
【補正の内容】
【０００１】
【発明の属する技術分野】
本発明は、定常ビット・レート、回路（又は回線）状及び可変ビット・レートの両方のデータ状トラフィックを送信するために単一の通信媒体を用いる通信システムに関し、特に、両方のタイプの送信を同時に行うために回路及びパケット・データ送信を統合するために同期マイクロセルを使用する通信チャンネルに関する。


【手続補正４】
【補正対象書類名】明細書
【補正対象項目名】０００２
【補正方法】変更
【補正の内容】
【０００２】
【従来の技術】
通信システムにおいては、単一の通信媒体を介して、定常ビット・レート、回路（又は回線）状及び可変ビット・レート両方のデータ状トラフィックを送信することが課題となっている。例えば、非同期伝送モード（ＡＴＭ）は非同期時分割多重化技術を用いるパケット指向データ転送である。『伝送モード』とは、通信環境における送信、多重化、及び交換を含む一連の方法を意味している。非同期伝送モード・ネットワークは電話、ビデオ、及びデータ・サービスを単一の通信ネットワークを通じて搬送している。非同期伝送モード・トランスポート・ネットワークは２つの層、つまり、そのネットワークの交換側面を含むＡＴＭ層と、送信側面を含む物理層とに分かれている。ＡＴＭ層は必要なメッセージを送信するためにエンドポイント間の仮想的接続をオン・ディマンドで確立する。従って、メッセージ発信側はそのメッセージが指定された送り先に送られるまで送信容量を消費する必要がない。


【手続補正５】
【補正対象書類名】明細書
【補正対象項目名】０００７
【補正方法】変更
【補正の内容】
【０００７】
【課題を解決するための手段】
上に述べた問題は、定常ビット・レート・トラフィックに対しては余分なパケット又はジッタ−遅延を発生させず、また、可変ビット・レート・トラフィックに対しては余分な回路設定遅延を発生させずに定常ビット・レート及び可変ビット・レート両方のトラフィックを搬送するために回路技術とパケット技術両方を共に融合するように機能する回路データ（又は回線データ）及びパケット・データ送信を統合するための本発明による通信チャンネル同期マイクロセル・システムによって解決され、さらに技術的進展が図られる。これは１つの通信チャンネルを通じて送信されるすべての情報に対して１つのマイクロセル構造を使用することによって達成される。このデータ・ストリームは、それぞれが所定の数のマイクロセルによって構成される一連のフレームによって構成されている。非同期伝送モードの場合と同様、マイクロセルのサイズは固定されており、ヘッダーを有しているが、それらの類似点はここまでである。このヘッダーはそのヘッダーに関連するマイクロセル内に入れられる内容のタイプを示す単純なフラッグである。ヘッダーが通信媒体とは同期している内容を示している場合は、そのマイクロセルは回路交換センスにおけるタイム・スロットとして用いられている。ヘッダーが通信媒体とは非同期な中味を示している場合は、そのマイクロセルはデータ・パケットの準要素を伝送するために用いられていることを示し、それらはそのフレーム内のマイクロセルの位置とは無関係に、そのヘッダーに埋め込まれているアドレス・データによって送られる。